(57)【要約】      （修正有）【解決手段】ビニルキャップを被せ数分放置後ドライヤー吹出口７と本考案の接合部３とを接合させ、ロッド１の図５におけるパッキン部にパイプ５を介してチューブ２を挿入しドライヤーの温風を送り込む。ドライヤーの温風はスリット４を介して排気され毛髪を乾燥させる。【効果】スリット（隙間）のついたロッドに巻きつけられた毛髪に、ドライヤーの温風を複数のチューブにより分散・均一化しロッドの内部からスリットを通過送風することで、多数のロッドに巻きつけられた毛髪を短時間でムラなく乾燥させることができる。【選択図】図１
0003136731.tif 000002
【実用新案登録請求の範囲】
【請求項１】
ドライヤー吹出口に本考案の複数のチューブを持つ接合部を接続することにより、ドライヤーの温風を均一に分散させる器具。
【請求項２】
請求項１の器具のチューブ部分先端に付属するパイプと接続できるように片側にパッキンを付け、もう片側は密閉し、スリット（隙間）をいれることで、接続されたチューブより送られてくる温風が巻きつけられた毛髪を介し通り抜けることで迅速に乾燥させるロッド。
【考案の詳細な説明】
【技術分野】
【０００１】毛髪のドライセット及びパーマネントウエーブ技法に関し、従来の方法と比較し乾燥のムラを無くし施術時間の短縮と処理結果の向上に関する。
【背景技術】
【０００２】パーマネントウエーブやドライセット技法に於いてロッドに巻きつけられた毛髪を乾燥させようとする時、従来の方法では外側よりドライヤーの温風を吹き付けるため、巻き込まれた毛先部分の乾燥に時間がかかるうえに乾燥状態のムラが多かった。
もしくは近年普及しているデジタルパーマ等の温熱ロッドを利用した機材を使用するしかなかった。
【特許文献１】特開２００４−２６２７９８デジタルパーマ等の温熱ロッドを利用した機材は機械自体が大きく高額でショートヘアには適さないため、スペースの余地のない小規模のサロンや比較的ショートスタイルの多い年配層の顧客中心に営業しているサロンでは導入が困難であるのが現状。
【考案の開示】
【考案が解決しようとする課題】
【０００３】毛髪の乾燥のムラを無くし時間を短縮し、省スペース低コストを実現。
【課題を解決するための手段】
【０００４】毛髪の束を本考案のロッドに巻き、チューブを接続し、ドライヤーの温風を送り込みロッド内部より均一、迅速に乾燥させる。
【考案の効果】
【０００５】ドライヤーの温風を複数のチューブにより分散・均一化し、一本づつのロッドの内側よりスリットを通過、送風することでロッドに巻きつけられた毛髪の束の乾燥のムラがなく時間の短縮ができる。
さらに言えば、現在普及しているデジタルパーマや（株）タカラベルモント社から発売されたエアウエーブ等（例えば特開２００６−２１２２２２号）は当考案と同じく毛髪を乾燥させるシステムであるが、いわゆる巻き髪やウエーブ等のロングヘアスタイル（２０歳代〜３０歳代まで）にターゲットを置いており、それに対し本考案は頭頂部のボリュームアップやショートスタイル全般（メンズスタイルも含む）にターゲットの幅を広げている。また、ハンドドライヤーを利用すれば、設置スペースが要らず低コストでの導入が可能になると考えられる。
【考案を実施するための最良の形態】
【０００６】本考案のロッドに巻きつけられた毛髪に、ドライヤーの温風を複数のチューブにより分散・均一化しロッドの内部からスリットを通過送風することで、多数のロッドに巻きつけられた毛髪を短時間でムラなく乾燥させることができる。
【実施例１】
【０００７】以下、本考案に係る毛髪の処理方法の実施例を図面とともに説明する。【０００８】  図１において、まず、毛髪のウエーブを求めたい部位にパーマネントウエーブ用の還元剤を含む第１剤を塗布し、充分軟化膨潤するまで放置した後、前記第１剤を洗い流し、ロッド１を毛髪に巻きつける。
その後、ビニルキャップを被せ数分放置後ドライヤー吹出口７と本考案の接合部３とを接合させ、ロッド１の図５におけるパッキン部に図１に示すパイプ５を介してチューブ２を挿入しドライヤーの温風を送り込む。ドライヤーの温風は図４・５に示すスリット４を介して排気され毛髪を乾燥させる。
毛髪の完全乾燥が確認されたら送風を停止し、パーマネントウエーブ用の酸化剤である第２剤を塗布。１０分〜１５分放置する。
酸化工程終了後、ロッド１を外して、毛髪を洗い流す。そして乾燥させてスタイリングを行うことで作業は終了する。
【実施例２】
【０００９】濡れた毛髪にロッド１を毛髪に巻きつける。その後ドライヤー吹出口６と本考案の接合部３とを接合させ、ロッド１の図５におけるパッキン部６に図１に示すパイプ５を介してチューブ２を挿入しドライヤーの温風を送り込む。ドライヤーの温風は図４・５に示すスリット４を介して排気され毛髪を乾燥させる。
毛髪の完全乾燥が確認されたら送風を停止し、形成されたカールを利用して、スタイリングを行うことで作業は終了する。
【図面の簡単な説明】
【００１０】
【図１】本考案のロッドに巻きつけられた毛髪にハンドドライヤーの温風を送り込んでいる図である。
【図２】本考案のドライヤーとの接合部の断面図及びチューブとの構成図である。
【図３】本考案のロッドである
【図４】本考案のロッドの断面図（Ａ−Ｂ）である。
【図５】本考案のロッドの断面図（Ｃ−Ｄ）である。
【符号の説明】
【００１１】            １  ロッド
２  チューブ
３  ドライヤーとの接合部
４  スリット（隙間）
５  パイプ
６  パッキン
７  ドライヤー吹出口
【図１】
0003136731.tif 000003
【図２】
0003136731.tif 000004
【図３】
0003136731.tif 000005
【図４】
0003136731.tif 000006
【図５】
0003136731.tif 000007
【手続補正書】
【提出日】平成19年8月21日(2007.8.21)
【手続補正１】
【補正対象書類名】実用新案登録請求の範囲
【補正対象項目名】全文
【補正方法】変更
【補正の内容】
【実用新案登録請求の範囲】
【請求項１】
複数の束上のチューブとドライヤー吹き出し口との接合部を設け、前記チューブの先端に毛髪を巻きつけるためのロッドを装着可能とし、ドライヤーの温風を分散しロッドに巻きつけられた毛髪を乾燥させる毛髪の乾燥装置。
【請求項２】
チューブ先端に接続されたロッドの先端は密閉し、外周部に温風吹出し用のスリット（隙間）を複数設けた請求項１記載の毛髪の乾燥装置。
【手続補正３】
【補正対象書類名】明細書
【補正対象項目名】０００８
【補正方法】変更
【補正の内容】
【０００８】
図１において、まず、毛髪のウエーブを求めたい部位にパーマネントウエーブ用の還元剤を含む第１剤を塗布し、充分軟化膨潤するまで放置した後、前記第１剤を洗い流し、ロッド１を毛髪に巻きつける。
その後、ビニルキャップを被せ数分放置後、ドライヤー吹出口７とチューブ２をパイプ状の接合部３とを接合させ、ロッド１の図５におけるパッキン部に、図１に示すパイプ５を介してチューブ２を挿入しドライヤーの温風を送り込む。ロッドの先端は密閉されているので、ドライヤーの温風は図４・図５に示す、ロッドの外周部に設けられた温風を外側に吹き出すための複数のスリット４を介して排気され毛髪を乾燥させる。
毛髪の完全乾燥が確認されたら送風を停止し、パーマネントウエーブ用の酸化剤である第２剤を塗布。１０分〜１５分放置する。
酸化工程終了後、ロッド１を外して、毛髪を洗い流す。そして乾燥させてスタイリングを行うことで作業は終了する。